(57)【特許請求の範囲】
【請求項１】
デッキ構造の施工法であって、
相互に平行に延びる一対の第１フレーム部材と、上記第１フレーム部材と直交し、上記第１フレーム部材同士を連結する一対の第２フレーム部材とを含むフレームユニットを複数準備するフレームユニット準備工程、
上記第１フレーム部材を上端部で支持する脚部材を複数準備する脚部材準備工程、
上記第１フレーム部材と上記第２フレーム部材とで囲まれた領域の少なくとも一部を覆う平板状の床板部材を含む床板ユニットを複数準備する床板ユニット準備工程、
上記脚部材準備工程で準備した複数の脚部材を施工地盤上に縦方向および横方向に並置する脚部材並置工程、
上記脚部材並置工程で並置した複数の脚部材の上端部に、上記縦方向に延びるように配置された上記第１フレーム部材を載置し固定することにより、上記脚部材に上記フレームユニットを取り付けるフレーム取付工程、および、
上記フレーム取付工程で取り付けた複数のフレームユニットにそれぞれ上記床板ユニット準備工程で準備した床板ユニットを１つ以上配置することにより、複数の床板ユニットの床板部材を上記縦方向および上記横方向に連続的に並べて床板を形成する床板形成工程、を含み、
上記複数のフレームユニットにおける全ての第１フレーム部材のうち最も横方向の外側に位置する第１フレーム部材を端部第１フレーム部材、端部第１フレーム部材よりも横方向の内側に位置する第１フレーム部材を中間第１フレーム部材としたとき、上記フレームユニット準備工程では、上記中間第１フレーム部材の上記横方向の幅が、上記端部第１フレーム部材の上記横方向の幅の半分になるように、上記複数のフレームユニットを準備し、
上記フレーム取付工程では、上記横方向の両端の脚部材の上端部に上記端部第１フレーム部材を載置する一方、上記横方向の中間の脚部材の上端部には上記横方向に相互に隣接する２つの中間第１フレーム部材を上記横方向に並べて載置する、デッキ構造の施工法。
【請求項２】
上記フレーム取付工程では、上記縦方向の中間部でかつ上記横方向の端部に位置する脚部材の上端部に、上記縦方向に相互に隣接する２つの端部第１フレーム部材の端部を上記縦方向に突き合わせて載置する、請求項１に記載のデッキ構造の施工法。
【請求項３】
上記フレーム取付工程では、上記縦方向および上記横方向の双方の中間部に位置する脚部材の上端部に、上記縦方向に相互に隣接する２つの中間第１フレーム部材の端部と、これと上記横方向に隣接する別の２つの中間第１フレーム部材の端部とを合わせた合計４つの中間第１フレーム部材の端部を載置する、請求項２に記載のデッキ構造の施工法。
【請求項４】
上記脚部材準備工程では、上記第１フレーム部材を受入可能なように上面が開放されたコ字状の受け部を上端部に有する脚部材を準備し、
上記フレーム取付工程では、上記受け部に第１フレーム部材を挿入する、請求項１から３のいずれか１項に記載のデッキ構造の施工法。
【請求項５】
上記フレームユニット準備工程では、上記脚部材の上端部を受入可能なように下面が開放されたコ字状の受け部を上記端部第１フレーム部材に有し、上記横方向に相互に隣接する２つの中間第１フレーム部材を上記横方向に並べたときに協働して上記受け部を形成する受け部形成部を中間第１フレーム部材の下部に有するフレームユニットを準備し、
上記フレーム取付工程では、上記受け部、および、上記受け部形成部から形成された受け部の少なくともいずれか一方に脚部材の上端部を挿入する、請求項１から３のいずれか１項に記載のデッキ構造の施工法。
【請求項６】
上記フレームユニット準備工程では、上記一対の第２フレーム部材の間に、上記第１フレーム部材と直交し、上記第１フレーム部材同士を連結する第３フレーム部材が少なくとも１つ設けられたフレームユニットを準備し、
上記床板形成工程では、上記第１、第２、第３フレーム部材により区画された複数の区画領域にそれぞれ１つずつ床板ユニットを配置する、請求項１から５のいずれか１項に記載のデッキ構造の施工法。
【請求項７】
上記床板ユニット準備工程では、上記床板部材の裏面に所定高さの台部材が設けられた床板ユニットを準備し、
上記フレームユニット準備工程では、上記台部材を載置可能な段部が形成されたフレームユニットを準備し、
上記床板形成工程では、上記台部材を上記段部に載置する、請求項１から６のいずれか１項に記載のデッキ構造の施工法。
【請求項８】
上記床板ユニット準備工程では、上記台部材は所定長さの長尺部材である床板ユニットを準備し、
上記床板形成工程では、上記台部材を複数の段部間に架け渡して上記段部に載置する、請求項７に記載のデッキ構造の施工法。
【請求項９】
施工地盤上に縦方向および横方向に並置された複数の脚部材、
相互に平行に延びる一対の第１フレーム部材と、上記第１フレーム部材と直交し、上記第１フレーム部材同士を連結する一対の第２フレーム部材とを含み、上記複数の脚部材の上端部に、上記縦方向に延びるように配置された上記第１フレーム部材が載置され固定されることにより、上記脚部材に取り付けられた複数のフレームユニット、および、
上記第１フレーム部材と上記第２フレーム部材とで囲まれた領域の少なくとも一部を覆う平板状の床板部材を含み、複数の上記床板部材が上記縦方向および上記横方向に連続的に並んで床板を形成するように、上記複数のフレームユニットにそれぞれ１つ以上配置された複数の床板ユニット、を有し、
上記複数のフレームユニットにおける全ての第１フレーム部材のうち最も横方向の外側に位置する第１フレーム部材を端部第１フレーム部材、端部第１フレーム部材よりも横方向の内側に位置する第１フレーム部材を中間第１フレーム部材としたとき、上記中間第１フレーム部材の上記横方向の幅は、上記端部第１フレーム部材の上記横方向の幅の半分であり、
上記横方向の両端の脚部材の上端部に上記端部第１フレーム部材が載置される一方、上記横方向の中間の脚部材の上端部には上記横方向に相互に隣接する２つの中間第１フレーム部材が上記横方向に並べて載置された、デッキ構造。
【発明の詳細な説明】
【技術分野】
【０００１】
本発明は、デッキ構造の施工法およびデッキ構造に関する。
【背景技術】
【０００２】
建物に隣接して屋外に張り出すデッキ構造は、特許文献１に開示されるように、施工地盤の上に配置された複数の脚部材の上に格子状の支持体が載置され、その上に床板が敷設された構造である。従来は、支持体の構成部材である根太や大引を施工現場で切断したり仕上げたり加工する必要があるため、専門のエクステリア業者でないとデッキ構造を施工することが難しかった。
【０００３】
近年、一般の施工業者やユーザでも施工できるように、施工現場で構成部材を加工する必要のないデッキ構造が提案されている。例えば、特許文献２には、次のようなデッキ構造が開示されている。断面形状が矩形の根太（フレーム部材）を４本用いて形成された平面視で正方形状の根太枠（フレームユニット）に、平面視で正方形状の床板部材の裏面に矩形断面をしたロッド状の台部材が組み付けられた構成の床板ユニットが配置されている。そして、このようなフレームユニットに床板ユニットが配置されたユニットの組が複数相互に隣接して配置されることにより、格子状の支持体および床板が形成される。すなわち、デッキ構造が得られる。
【先行技術文献】
【特許文献】
【０００４】
【特許文献１】特開２００５−３４４３７１号公報（図１０）
【特許文献２】特許第３８０３９６７号公報（段落００１２、図１）
【発明の概要】
【発明が解決しようとする課題】
【０００５】
特許文献２に開示のデッキ構造では、複数のフレームユニットを相互に連結するのに複数種類の連結支持金具が用いられるので、部品点数が増え、コスト増を招くことになる。
【０００６】
そこで、本発明は、施工現場で構成部材を加工することなくデッキ構造を施工でき、かつ部品点数が抑制されたデッキ構造の施工法およびデッキ構造の提供を目的とする。
【課題を解決するための手段】
【０００７】
上記課題を解決するためのものとして、本発明は、デッキ構造の施工法であって、相互に平行に延びる一対の第１フレーム部材と、上記第１フレーム部材と直交し、上記第１フレーム部材同士を連結する一対の第２フレーム部材とを含むフレームユニットを複数準備するフレームユニット準備工程、上記第１フレーム部材を上端部で支持する脚部材を複数準備する脚部材準備工程、上記第１フレーム部材と上記第２フレーム部材とで囲まれた領域の少なくとも一部を覆う平板状の床板部材を含む床板ユニットを複数準備する床板ユニット準備工程、上記脚部材準備工程で準備した複数の脚部材を施工地盤上に縦方向および横方向に並置する脚部材並置工程、上記脚部材並置工程で並置した複数の脚部材の上端部に、上記縦方向に延びるように配置された上記第１フレーム部材を載置し固定することにより、上記脚部材に上記フレームユニットを取り付けるフレーム取付工程、および、上記フレーム取付工程で取り付けた複数のフレームユニットにそれぞれ上記床板ユニット準備工程で準備した床板ユニットを１つ以上配置することにより、複数の床板ユニットの床板部材を上記縦方向および上記横方向に連続的に並べて床板を形成する床板形成工程、を含み、上記複数のフレームユニットにおける全ての第１フレーム部材のうち最も横方向の外側に位置する第１フレーム部材を端部第１フレーム部材、端部第１フレーム部材よりも横方向の内側に位置する第１フレーム部材を中間第１フレーム部材としたとき、上記フレームユニット準備工程では、上記中間第１フレーム部材の上記横方向の幅が、上記端部第１フレーム部材の上記横方向の幅の半分になるように、上記複数のフレームユニットを準備し、上記フレーム取付工程では、上記横方向の両端の脚部材の上端部に上記端部第１フレーム部材を載置する一方、上記横方向の中間の脚部材の上端部には上記横方向に相互に隣接する２つの中間第１フレーム部材を上記横方向に並べて載置する、デッキ構造の施工法である（請求項１）。
【０００８】
本発明で「横方向の中間」とは、横方向の両端を除く残りの部位をいう。
【０００９】
本発明によれば、複数の脚部材を施工地盤上に並置し、並置した複数の脚部材にフレームユニットを取り付け、取り付けた複数のフレームユニットにそれぞれ床板ユニットを配置することにより、デッキ構造が施工される。
【００１０】
その上で、本発明によれば、上記中間第１フレーム部材の上記横方向の幅が上記端部第１フレーム部材の上記横方向の幅の半分とされ、上記横方向の両端の脚部材の上端部に上記端部第１フレーム部材が載置される一方、上記横方向の中間の脚部材の上端部には上記横方向に相互に隣接する２つの中間第１フレーム部材が上記横方向に並べて載置されるので、上記横方向の中間の脚部材に２つ載置される上記横方向の中間の中間第１フレーム部材は、２つが上記横方向に並んだ状態で、上記横方向の両端の脚部材に１つ載置される上記端部第１フレーム部材と幅が同じになる。そのため、どの位置の第１フレーム部材を支持するかに拘らず、これらの第１フレーム部材を上端部で支持する脚部材を共通化することができ、部品点数およびコストの削減が図られる。
【００１１】
以上により、本発明によれば、施工現場で構成部材を加工することなくデッキ構造を施工でき、かつ部品点数が抑制されたデッキ構造の施工法が提供される。
【００１２】
しかも、脚部材に２つ載置される中間第１フレーム部材の幅が脚部材に１つ載置される端部第１フレーム部材の幅の半分とされることにより、第１フレーム部材の容積減が図られ、デッキ構造の重量増およびコスト増が抑制される。
【００１３】
本発明においては、上記フレーム取付工程では、上記縦方向の中間部でかつ上記横方向の端部に位置する脚部材の上端部に、上記縦方向に相互に隣接する２つの端部第１フレーム部材の端部を上記縦方向に突き合わせて載置することが好ましい（請求項２）。
【００１４】
本発明で「縦方向の中間部」とは、縦方向の端部を除く残りの部位をいう。
【００１５】
この構成によれば、上記縦方向に相互に隣接する端部第１フレーム部材間で脚部材を共有させることにより、部品点数およびコストのより一層の削減が図られる。
【００１６】
本発明においては、上記フレーム取付工程では、上記縦方向および上記横方向の双方の中間部に位置する脚部材の上端部に、上記縦方向に相互に隣接する２つの中間第１フレーム部材の端部と、これと上記横方向に隣接する別の２つの中間第１フレーム部材の端部とを合わせた合計４つの中間第１フレーム部材の端部を載置することが好ましい（請求項３）。
【００１７】
この構成によれば、上記縦方向に相互に隣接する中間第１フレーム部材間で脚部材を共有させることに加えて、上記横方向に相互に隣接する中間第１フレーム部材間でも脚部材を共有させることにより、部品点数およびコストのなお一層の削減が図られる。
【００１８】
本発明においては、上記脚部材準備工程では、上記第１フレーム部材を受入可能なように上面が開放されたコ字状の受け部を上端部に有する脚部材を準備し、上記フレーム取付工程では、上記受け部に第１フレーム部材を挿入することが好ましい（請求項４）。
【００１９】
この構成によれば、コ字状の受け部を脚部材の上端部に設けたから、この脚部材の受け部に第１フレーム部材を挿入するだけで第１フレーム部材と脚部材とを簡単に連結でき、デッキ構造の施工が容易化する。
【００２０】
本発明においては、上記フレームユニット準備工程では、上記脚部材の上端部を受入可能なように下面が開放されたコ字状の受け部を上記端部第１フレーム部材に有し、上記横方向に相互に隣接する２つの中間第１フレーム部材を上記横方向に並べたときに協働して上記受け部を形成する受け部形成部を中間第１フレーム部材の下部に有するフレームユニットを準備し、上記フレーム取付工程では、上記受け部、および、上記受け部形成部から形成された受け部の少なくともいずれか一方に脚部材の上端部を挿入することが好ましい（請求項５）。
【００２１】
この構成によれば、コ字状の受け部を第１フレーム部材の下部に設けたから、この第１フレーム部材の受け部に脚部材の上端部を挿入するだけで第１フレーム部材と脚部材とを簡単に連結でき、デッキ構造の施工が容易化する。
【００２２】
本発明においては、上記フレームユニット準備工程では、上記一対の第２フレーム部材の間に、上記第１フレーム部材と直交し、上記第１フレーム部材同士を連結する第３フレーム部材が少なくとも１つ設けられたフレームユニットを準備し、上記床板形成工程では、上記第１、第２、第３フレーム部材により区画された複数の区画領域にそれぞれ１つずつ床板ユニットを配置することが好ましい（請求項６）。
【００２３】
この構成によれば、フレームユニットに複数の区画領域が上記縦方向に並んで形成され、各区画領域に１つずつ床板ユニットが配置されるから、複数の床板部材が確実に上記縦方向に連続的に並べられる。
【００２４】
本発明においては、上記床板ユニット準備工程では、上記床板部材の裏面に所定高さの台部材が設けられた床板ユニットを準備し、上記フレームユニット準備工程では、上記台部材を載置可能な段部が形成されたフレームユニットを準備し、上記床板形成工程では、上記台部材を上記段部に載置することが好ましい（請求項７）。
【００２５】
この構成によれば、床板ユニットが台部材を土台とし段部を介してフレームユニットに安定して支持される。
【００２６】
本発明においては、上記床板ユニット準備工程では、上記台部材は所定長さの長尺部材である床板ユニットを準備し、上記床板形成工程では、上記台部材を複数の段部間に架け渡して上記段部に載置することが好ましい（請求項８）。
【００２７】
この構成によれば、台部材は床板ユニットをフレームユニットに支持するための土台として機能することに加えて、床板部材を上方からの荷重に対して裏面から補強する補強部材としても機能する。
【００２８】
また、本発明は、施工地盤上に縦方向および横方向に並置された複数の脚部材、相互に平行に延びる一対の第１フレーム部材と、上記第１フレーム部材と直交し、上記第１フレーム部材同士を連結する一対の第２フレーム部材とを含み、上記複数の脚部材の上端部に、上記縦方向に延びるように配置された上記第１フレーム部材が載置され固定されることにより、上記脚部材に取り付けられた複数のフレームユニット、および、上記第１フレーム部材と上記第２フレーム部材とで囲まれた領域の少なくとも一部を覆う平板状の床板部材を含み、複数の上記床板部材が上記縦方向および上記横方向に連続的に並んで床板を形成するように、上記複数のフレームユニットにそれぞれ１つ以上配置された複数の床板ユニット、を有し、上記複数のフレームユニットにおける全ての第１フレーム部材のうち最も横方向の外側に位置する第１フレーム部材を端部第１フレーム部材、端部第１フレーム部材よりも横方向の内側に位置する第１フレーム部材を中間第１フレーム部材としたとき、上記中間第１フレーム部材の上記横方向の幅は、上記端部第１フレーム部材の上記横方向の幅の半分であり、上記横方向の両端の脚部材の上端部に上記端部第１フレーム部材が載置される一方、上記横方向の中間の脚部材の上端部には上記横方向に相互に隣接する２つの中間第１フレーム部材が上記横方向に並べて載置された、デッキ構造である（請求項９）。
【００２９】
本発明によれば、デッキ構造の施工法に係る発明と同様、施工現場で構成部材を加工することなく施工でき、かつ部品点数が抑制されたデッキ構造が提供される。しかも、第１フレーム部材の容積減が図られ、デッキ構造の重量増およびコスト増が抑制される。
【発明の効果】
【００３０】
本発明は、施工現場で構成部材を加工することなくデッキ構造を施工でき、かつ部品点数が抑制されたデッキ構造の施工法およびデッキ構造を提供するから、デッキ構造の技術の発展および向上に寄与する。
【図面の簡単な説明】
【００３１】
【図１】本発明の第１の実施形態に係るデッキ構造の施工法を説明するため、施工地盤の上に脚部材を並べた状態を示す斜視図である。
【図２】上記施工法で用いる第１フレームユニットの斜視図である。
【図３】同じく、第２フレームユニットの斜視図である。
【図４】同じく、第３フレームユニットの斜視図である。
【図５】同じく、床板ユニットの（ａ）は側面図、（ｂ）は平面図である。
【図６】脚部材の上に第１〜第３フレームユニットを載置して格子状の支持体が完成した状態を示す、図１に類似の斜視図である。
【図７】支持体の上に床板ユニットを敷設して床板が完成した状態を示す、図１に類似の斜視図である。
【図８】図７の矢印ＶＩＩＩから見た、施工が終了したデッキ構造の側面図である。
【図９】図７の状態を示す一部透視の平面図である。
【図１０】本発明の第２の実施形態に係るデッキ構造の側面図である。
【図１１】本発明の第３の実施形態に係るデッキ構造の施工法で用いる脚部材の斜視図である。
【図１２】同じく、第１フレームユニットの斜視図であって、図２に対応するものである。
【図１３】同じく、第２フレームユニットの斜視図であって、図３に対応するものである。
【図１４】同じく、第３フレームユニットの斜視図であって、図４に対応するものである。
【図１５】脚部材の上に第１〜第３フレームユニットを載置して格子状の支持体が完成した状態を示す斜視図であって、図６に対応するものである。
【発明を実施するための形態】
【００３２】
（第１の実施形態）
［１−１］部材の説明
図１〜図５を参照して、本実施形態に係るデッキ構造１（図７〜図９参照）の施工法で用いる部材を説明する。図１は脚部材１１、図２〜図４は第１〜第３フレームユニット２１，３１，４１、図５は床板ユニット５１を示している。
【００３３】
＜脚部材＞
図１に示すように、脚部材１１は、施工地盤Ｇと接する基部１１ａと、上下方向に延びる四角柱状の支持部１１ｂとを有する。支持部１１ｂは、基部１１ａに対して螺合しており、回転することにより高さ調節が可能に構成されている。支持部１１ｂは、金属製の長尺部材であり、断面形状がロ字状の平断面構造を持った剛性部材である。支持部１１ｂの上端部に、相互に対向する一対の嵌合片１１ｃが立設されている。支持部１１ｂの上端面と上記一対の嵌合片１１ｃとで、上面が開放されたコ字状の受け部１２が形成されている。脚部材１１は、支持部１１ｂの上端部で第１フレーム部材２１Ａ，２１Ｂ，３１Ｂ，４１Ａ，４１Ｂ（図２〜図４参照）を支持する。
【００３４】
この脚部材１１を複数準備する工程は、後述する「［１−２］デッキ構造の施工法」における＜脚部材準備工程＞である。
【００３５】
＜第１フレームユニット＞
図２に示すように、第１フレームユニット２１は、相互に平行に配置された一対の大引２１ａ，２１ｂと、全体として長方形状に配置された４本の根太２１ｃ，２１ｄとを有する。４本の根太２１ｃ，２１ｄは大引２１ａ，２１ｂの上面に備えられている。
【００３６】
大引２１ａ，２１ｂは、金属製の長尺部材であり、断面形状がロ字状の平断面構造を持った剛性部材である。大引２１ａ，２１ｂは、長さおよび高さが相互に同じであるが、幅（より詳しくは図１における横方向の幅）が異なっている。幅が広いほうを大大引２１ａ、狭いほうを小大引２１ｂとする。大大引２１ａの幅は、上記脚部材１１の一対の嵌合片１１ｃの間隔と同じか若干短い長さに設定されている。小大引２１ｂの幅は、大大引２１ａの幅の略半分である。
【００３７】
根太２１ｃ，２１ｄは、金属製の長尺部材であり、断面形状がＬ字状の剛性部材である。根太２１ｃ，２１ｄは、断面形状が相互に同じであるが、長さが異なっている。長さが長いほうを大根太２１ｄ、短いほうを小根太２１ｃとする。大根太２１ｄの長さは、大引２１ａ，２１ｂの長さと同じか若干短い長さに設定されている。小根太２１ｃの長さは、大根太２１ｄの長さの略半分である。
【００３８】
４本の根太２１ｃ，２１ｄは、全体として長方形を形成するように配置されて大引２１ａ，２１ｂの上面に組み付けられている。
【００３９】
具体的に、一対の小根太２１ｃは、相互に平行に配置され、大引２１ａ，２１ｂの端部において、一対の大引２１ａ，２１ｂ間に架け渡され、大引２１ａ，２１ｂの上面に載置されている。その場合、断面Ｌ字の２辺のうちの短辺を大引２１ａ，２１ｂの上面に対接させ、長辺を大引２１ａ，２１ｂの中央部側に向けている。そして、小根太２１ｃの端部は、大引２１ａ，２１ｂの外側の側面に近接し、断面Ｌ字の短辺は、大引２１ａ，２１ｂの端部に近接している。この状態で、小根太２１ｃは、断面Ｌ字の短辺を介して大引２１ａ，２１ｂの上面にビスで固定されている（このとき小根太２１ｃおよび大引２１ａ，２１ｂにビスが貫通する下孔を予め穿孔しておくことが好ましい）。
【００４０】
一対の大根太２１ｄは、相互に平行に配置され、大引２１ａ，２１ｂの長さ方向に延びるように、大引２１ａ，２１ｂの上面に載置されている。その場合、断面Ｌ字の２辺のうちの短辺を大引２１ａ，２１ｂの上面に対接させ、長辺を大引２１ａ，２１ｂの内側の側面側に向けている。そして、大根太２１ｄの端部は、小根太２１ｃの断面Ｌ字の長辺に当接し、断面Ｌ字の短辺は、大引２１ａ，２１ｂの外側の側面に近接している。この状態で、大根太２１ｄは、断面Ｌ字の短辺を介して大引２１ａ，２１ｂの上面にビスで固定されている（このとき大根太２１ｄおよび大引２１ａ，２１ｂにビスが貫通する下孔を予め穿孔しておくことが好ましい）。
【００４１】
小根太２１ｃと大根太２１ｄとは、各端部において、相互に直交しかつ連続している。これにより、４本の根太２１ｃ，２１ｄは、協働して長方形を形成している。
【００４２】
断面形状がロ字状の大引２１ａ，２１ｂの幅に比べて、断面形状がＬ字状の大根太２１ｄおよび小根太２１ｃの幅（断面Ｌ字の長辺の厚み）は小さい。そのため、大引２１ａ，２１ｂと大根太２１ｄとの境目に段部２１ｘが形成されている。
【００４３】
この段部２１ｘは、大大引２１ａとその上の大根太２１ｄとを１つの第１フレーム部材２１Ａとして見たときに、その第１フレーム部材２１Ａにおける第１フレームユニット２１の内方側の面に形成されている。同様に、小大引２１ｂとその上の大根太２１ｄとを他の１つの第１フレーム部材２１Ｂとして見たときに、その第１フレーム部材２１Ｂにおける第１フレームユニット２１の内方側の面に形成されている。そして、この段部２１ｘは、第１フレーム部材２１Ａ，２１Ｂにおいて幅が相対的に広い下部、すなわち大引２１ａ，２１ｂが、第１フレーム部材２１Ａ，２１Ｂにおいて幅が相対的に狭い上部、すなわち大根太２１ｄよりも、第１フレームユニット２１の内方に突出する段部である。
【００４４】
なお、本実施形態では、前述のように、小大引２１ｂの幅が大大引２１ａの幅の略半分であるから、相互に対向する一対の第１フレーム部材２１Ａ，２１Ｂのうち、一方の第１フレーム部材２１Ａの段部２１ｘの突出量が相対的に大きく、他方の第１フレーム部材２１Ｂの段部２１ｘの突出量が相対的に小さくなっている。
【００４５】
本実施形態では、中間根太２１ｅ（本発明の第３フレーム部材に相当）が設けられている。中間根太２１ｅは、金属製の長尺部材であり、断面形状がロ字状の平断面構造を持った剛性部材である。中間根太２１ｅは、小根太２１ｃと平行に配置され、大引２１ａ，２１ｂの長さ方向の中央部において、一対の大引２１ａ，２１ｂ間に架け渡され、大引２１ａ，２１ｂの上面に載置されている。そして、中間根太２１ｅの端部は、大根太２１ｄの断面Ｌ字の長辺に当接している。この状態で、中間根太２１ｅは、大引２１ａ，２１ｂの上面にビスで固定されている（このとき中間根太２１ｅおよび大引２１ａ，２１ｂにビスが貫通する下孔を予め穿孔しておくことが好ましい）。この中間根太２１ｅにより、第１フレームユニット２１には、平面視で略正方形状の区画領域Ｒが２つ形成されている。中間根太２１ｅの高さは、小根太２１ｃおよび大根太２１ｄの高さ（断面Ｌ字の長辺の長さ）と同じ高さに設定されている。
【００４６】
小根太２１ｃを１つの第２フレーム部材２１Ｃとして見たときに、この第２フレーム部材２１Ｃは、上記第１フレーム部材２１Ａ，２１Ｂの上部、すなわち大根太２１ｄに相当する部分のみで構成されている。そして、第１フレームユニット２１は、４本のフレーム部材（第１フレーム部材２１Ａ，２１Ｂおよび第２フレーム部材２１Ｃ，２１Ｃ）で長方形状に形成されている。
【００４７】
この第１フレームユニット２１の上面（あるいは４本のフレーム部材２１Ａ，２１Ｂ，２１Ｃ，２１Ｃの上面）は、小根太２１ｃの断面Ｌ字の長辺の上端面、大根太２１ｄの断面Ｌ字の長辺の上端面、および中間根太２１ｅの上面で構成される。
【００４８】
この第１フレームユニット２１を複数準備する工程は、後述する「［１−２］デッキ構造の施工法」における＜フレームユニット準備工程＞である。
【００４９】
＜第２フレームユニット＞
次に、第２フレームユニット３１を説明する。ただし、第２フレームユニット３１は第１フレームユニット２１に類似しているので、第１フレームユニット２１と異なる部分のみ説明し、第１フレームユニット２１と同じまたは類似する部分は説明を省略する。
【００５０】
図３に示すように、第２フレームユニット３１は、相互に平行に配置された一対の大引３１ｂ，３１ｂを有する。大引３１ｂ，３１ｂは、第１フレームユニット２１の小大引２１ｂと構成が同じである。すなわち、小大引３１ｂ，３１ｂの幅（より詳しくは図１における横方向の幅）は、第１フレームユニット２１の大大引２１ａの幅の略半分である。
【００５１】
根太３１ｃ，３１ｄ，３１ｅは、第１フレームユニット２１の根太２１ｃ，２１ｄ，２１ｅと構成が同じである。そのため、第１フレーム部材３１Ｂおよび第２フレーム部材３１Ｃは、第１フレームユニット２１の第１フレーム部材２１Ｂおよび第２フレーム部材２１Ｃに対応する。ただし、前述のように、第１フレームユニット２１の小大引２１ｂの幅が第１フレームユニット２１の大大引２１ａの幅の略半分であるから、第１フレーム部材３１Ｂの段部３１ｘの突出量が相対的に小さくなっている。中間根太３１ｅ（本発明の第３フレーム部材に相当）により形成される区画領域Ｒは第１フレームユニット２１の区画領域Ｒと同じ形状、同じ大きさである。第２フレームユニット３１は、４本のフレーム部材（第１フレーム部材３１Ｂ，３１Ｂおよび第２フレーム部材３１Ｃ，３１Ｃ）で長方形状に形成されている。
【００５２】
この第２フレームユニット３１の上面（あるいは４本のフレーム部材３１Ｂ，３１Ｂ，３１Ｃ，３１Ｃの上面）は、小根太３１ｃの断面Ｌ字の長辺の上端面、大根太３１ｄの断面Ｌ字の長辺の上端面、および中間根太３１ｅの上面で構成される。
【００５３】
この第２フレームユニット３１を複数準備する工程は、後述する「［１−２］デッキ構造の施工法」における＜フレームユニット準備工程＞である。
【００５４】
＜第３フレームユニット＞
次に、第３フレームユニット４１を説明する。ただし、第３フレームユニット４１もまた第１フレームユニット２１に類似しているので、第１フレームユニット２１と異なる部分のみ説明し、第１フレームユニット２１と同じまたは類似する部分は説明を省略する。
【００５５】
図４に示すように、第３フレームユニット４１は、相互に平行に配置された一対の大引４１ａ，４１ｂを有する。大引４１ａは、第１フレームユニット２１の大大引２１ａと構成が同じであり、大引４１ｂは、第１フレームユニット２１の小大引２１ｂと構成が同じである。すなわち、大大引４１ａの幅（より詳しくは図１における横方向の幅）は、上記脚部材１１の一対の嵌合片１１ｃの間隔と同じか若干短い長さに設定されている。小大引４１ｂの幅は、大大引４１ａの幅の略半分である。
【００５６】
根太４１ｃ，４１ｄ，４１ｅは、第１フレームユニット２１の根太２１ｃ，２１ｄ，２１ｅと構成が同じである。そのため、第１フレーム部材４１Ａ，４１Ｂおよび第２フレーム部材４１Ｃは、第１フレームユニット２１の第１フレーム部材２１Ａ，２１Ｂおよび第２フレーム部材２１Ｃに対応する。そして、前述のように、第１フレームユニット２１の小大引２１ｂの幅が第１フレームユニット２１の大大引２１ａの幅の略半分であるから、相互に対向する一対の第１フレーム部材４１Ａ，４１Ｂのうち、一方の第１フレーム部材４１Ａの段部４１ｘの突出量が相対的に大きく、他方の第１フレーム部材４１Ｂの段部４１ｘの突出量が相対的に小さくなっている。中間根太４１ｅ（本発明の第３フレーム部材に相当）により形成される区画領域Ｒは第１フレームユニット２１の区画領域Ｒと同じ形状、同じ大きさである。第３フレームユニット４１は、４本のフレーム部材（第１フレーム部材４１Ａ，４１Ｂおよび第２フレーム部材４１Ｃ，４１Ｃ）で長方形状に形成されている。
【００５７】
この第３フレームユニット４１の上面（あるいは４本のフレーム部材４１Ａ，４１Ｂ，４１Ｃ，４１Ｃの上面）は、小根太４１ｃの断面Ｌ字の長辺の上端面、大根太４１ｄの断面Ｌ字の長辺の上端面、および中間根太４１ｅの上面で構成される。
【００５８】
この第３フレームユニット４１を複数準備する工程は、後述する「［１−２］デッキ構造の施工法」における＜フレームユニット準備工程＞である。
【００５９】
＜床板ユニット＞
次に、床板ユニット５１を説明する。図５に示すように、床板ユニット５１は、床板部材５２と、床板部材５２の裏面に組み付けられた所定高さＨの台部材５３とを含んでいる。床板部材５２および台部材５３は樹脂製である。
【００６０】
床板部材５２は、３つの長方形状の床板構成部材５２ａが連結されて平面視で略正方形状に形成されている。床板部材５２の縦の長さ（３つの床板構成部材５２ａの連結方向の長さ）Ｌ１および横の長さ（床板構成部材５２ａの長手方向の長さ）Ｌ２は、床板部材５２が第１〜第３フレームユニット２１，３１，４１の略正方形状の区画領域Ｒを被覆可能な値に設定されている。例えば、縦の長さＬ１は、小根太２１ｃ，３１ｃ，４１ｃの長さと略同じ長さに設定され、横の長さＬ２は、大引２１ａ，２１ｂ，３１ｂ，４１ａ，４１ｂの長さの略半分の長さに設定されている。もっとも、本実施形態では、床板部材５２は略正方形状に形成されているので、縦の長さＬ１と横の長さＬ２とは略等しい。
【００６１】
台部材５３は、所定長さＬ３を有する長尺部材であり、断面形状が矩形の四角柱状である。台部材５３は、床板部材５２の縦の長さＬ１方向に延びるように配置されて、床板部材５２の裏面にビスで固定されている。具体的に、相互に平行に配置された一対の台部材５３が所定の間隔を空けて床板部材５２の裏面に組み付けられている。
【００６２】
台部材５３の長さＬ３は、一対の大根太２１ｄ，３１ｄ，４１ｄ間の間隔と同じか若干短い長さに設定されている。一対の台部材５３の外側の側面間の長さＬ４は、小根太２１ｃ，３１ｃ，４１ｃと中間根太２１ｅ，３１ｅ，４１ｅとの間の間隔と同じか若干短い長さに設定されている。もっとも、本実施形態では、区画領域Ｒは略正方形状に形成されているので、上記長さＬ３とＬ４とは略等しい。
【００６３】
台部材５３の高さＨは、小根太２１ｃ，３１ｃ，４１ｃ、大根太２１ｄ，３１ｄ，４１ｄ、および中間根太２１ｅ，３１ｅ，４１ｅの高さと同じか若干高い高さに設定されている。
【００６４】
この床板ユニット５１を複数準備する工程は、後述する「［１−２］デッキ構造の施工法」における＜床板ユニット準備工程＞である。
【００６５】
［１−２］デッキ構造の施工法
図１、図６〜図９を参照して、本実施形態に係るデッキ構造１の施工法を説明する。ただし、前述した＜脚部材準備工程＞、＜フレームユニット準備工程＞、および＜床板ユニット準備工程＞は説明を省略する。
【００６６】
＜脚部材並置工程＞
まず、図１に示すように、施工地盤Ｇの上に複数の脚部材１１を並置する。本実施形態では、１６個の脚部材１１が４列×４段に並べられる。図面上、左下と右上とを結ぶ並び（縦方向に延びる並び）を列、右下と左上とを結ぶ並び（横方向に延びる並び）を段という。そして、左上から右下に向かって順に第１列、第２列…、左下から右上に向かって順に第１段、第２段…とする。本実施形態では、第１列が最も建物に近い側にある（つまり建物側から第１列、第２列…とする）。
【００６７】
図１において、例えば、横方向の両端（端部）の脚部材１１とは、第１列・第１段の脚部材１１、第１列・第２段の脚部材１１、第１列・第３段の脚部材１１、第１列・第４段の脚部材１１、第４列・第１段の脚部材１１、第４列・第２段の脚部材１１、第４列・第３段の脚部材１１、および第４列・第４段の脚部材１１である。
【００６８】
また、横方向の中間（中間部）の脚部材１１とは、第２列・第１段の脚部材１１、第２列・第２段の脚部材１１、第２列・第３段の脚部材１１、第２列・第４段の脚部材１１、第３列・第１段の脚部材１１、第３列・第２段の脚部材１１、第３列・第３段の脚部材１１、および第３列・第４段の脚部材１１である。
【００６９】
一方、縦方向の両端（端部）の脚部材１１とは、第１列・第１段の脚部材１１、第２列・第１段の脚部材１１、第３列・第１段の脚部材１１、第４列・第１段の脚部材１１、第１列・第４段の脚部材１１、第２列・第４段の脚部材１１、第３列・第４段の脚部材１１、および第４列・第４段の脚部材１１である。
【００７０】
また、縦方向の中間（中間部）の脚部材１１とは、第１列・第２段の脚部材１１、第２列・第２段の脚部材１１、第３列・第２段の脚部材１１、第４列・第２段の脚部材１１、第１列・第３段の脚部材１１、第２列・第３段の脚部材１１、第３列・第３段の脚部材１１、および第４列・第３段の脚部材１１である。
【００７１】
したがって、縦方向の中間部でかつ横方向の端部に位置する脚部材１１とは、第１列・第２段の脚部材１１、第１列・第３段の脚部材１１、第４列・第２段の脚部材１１、および第４列・第３段の脚部材１１である。
【００７２】
また、縦方向および横方向の双方の中間部に位置する脚部材１１とは、第２列・第２段の脚部材１１、第２列・第３段の脚部材１１、第３列・第２段の脚部材１１、および第３列・第３段の脚部材１１である。
【００７３】
なお、第１フレーム部材２１Ａ，２１Ｂ，３１Ｂ，４１Ａ，４１Ｂ（大大引２１ａ、小大引２１ｂ、小大引３１ｂ、大大引４１ａ、小大引４１ｂ）についてもこれに準じて同様である。
【００７４】
＜フレーム取付工程＞
次に、図６に示すように、脚部材１１の上に第１〜第３フレームユニット２１，３１，４１を載置する。具体的に、各フレームユニット２１，３１，４１の大引２１ａ，２１ｂ，３１ｂ，４１ａ，４１ｂを縦方向に延びるように配置し、脚部材１１の嵌合片１１ｃに嵌入する（すなわち受け部１２に挿入する）。これにより、複数のフレームユニット２１，３１，４１が相互に隣接して配置され、格子状の支持体２が形成される。
【００７５】
本実施形態では、９個のフレームユニット２１，３１，４１が３列×３段に並べられる。その場合、第１列のフレームユニットは第１フレームユニット２１であり、第１列の脚部材１１と第２列の脚部材１１とに載置される。第２列のフレームユニットは第２フレームユニット３１であり、第２列の脚部材１１と第３列の脚部材１１とに載置される。第３列のフレームユニットは第３フレームユニット４１であり、第３列の脚部材１１と第４列の脚部材１１とに載置される。
【００７６】
第１フレームユニット２１および第３フレームユニット４１は、大大引２１ａ，４１ａ（端部第１フレーム部材）が支持体２の外方側を向くように載置される。これにより、第１列の脚部材１１には第１フレームユニット２１の大大引２１ａ（端部第１フレーム部材）のみが１つ載置され、第４列の脚部材１１には第３フレームユニット４１の大大引４１ａ（端部第１フレーム部材）のみが１つ載置される。一方、第２列の脚部材１１には第１フレームユニット２１の小大引２１ｂ（中間第１フレーム部材）と第２フレームユニット３１の小大引３１ｂ（中間第１フレーム部材）とが横方向に並列に並べた状態で２つ載置され、第３列の脚部材１１には第２フレームユニット３１の小大引３１ｂ（中間第１フレーム部材）と第３フレームユニット４１の小大引４１ｂ（中間第１フレーム部材）とが横方向に並列に並べた状態で２つ載置される。
【００７７】
また、第１段の脚部材１１には第１段のフレームユニット２１，３１，４１の一端部のみが１つ載置され、第４段の脚部材１１には第３段のフレームユニット２１，３１，４１の他端部のみが１つ載置される。一方、第２段の脚部材１１には第１段のフレームユニット２１，３１，４１の他端部と第２段のフレームユニット２１，３１，４１の一端部とが縦方向に直列に突き合わせた状態で２つ載置され、第３段の脚部材１１には第２段のフレームユニット２１，３１，４１の他端部と第３段のフレームユニット２１，３１，４１の一端部とが縦方向に直列に突き合わせた状態で２つ載置される。
【００７８】
その結果、４列×４段に並べられた１６個の脚部材１１のうち、四隅の脚部材１１、すなわち、第１列・第１段の脚部材１１、第４列・第１段の脚部材１１、第１列・第４段の脚部材１１、および第４列・第４段の脚部材１１には、それぞれ、第１フレームユニット２１の大大引２１ａ、第３フレームユニット４１の大大引４１ａ、第１フレームユニット２１の大大引２１ａ、および第３フレームユニット４１の大大引４１ａのみが１つ載置される。
【００７９】
これに対し、第２列・第１段の脚部材１１、第３列・第１段の脚部材１１、第１列・第２段の脚部材１１、第１列・第３段の脚部材１１、第４列・第２段の脚部材１１、第４列・第３段の脚部材１１、第２列・第４段の脚部材１１、および第３列・第４段の脚部材１１には、それぞれ、第１フレームユニット２１の小大引２１ｂと第２フレームユニット３１の小大引３１ｂ、第２フレームユニット３１の小大引３１ｂと第３フレームユニット４１の小大引４１ｂ、第１フレームユニット２１の大大引２１ａと第１フレームユニット２１の大大引２１ａ、第１フレームユニット２１の大大引２１ａと第１フレームユニット２１の大大引２１ａ、第３フレームユニット４１の大大引４１ａと第３フレームユニット４１の大大引４１ａ、第３フレームユニット４１の大大引４１ａと第３フレームユニット４１の大大引４１ａ、第１フレームユニット２１の小大引２１ｂと第２フレームユニット３１の小大引３１ｂ、および第２フレームユニット３１の小大引３１ｂと第３フレームユニット４１の小大引４１ｂが２つ載置される。
【００８０】
さらに、第２列・第２段の脚部材１１、第２列・第３段の脚部材１１、第３列・第２段の脚部材１１、および第３列・第３段の脚部材１１には、それぞれ、第１フレームユニット２１の小大引２１ｂと第２フレームユニット３１の小大引３１ｂと第１フレームユニット２１の小大引２１ｂと第２フレームユニット３１の小大引３１ｂ、第１フレームユニット２１の小大引２１ｂと第２フレームユニット３１の小大引３１ｂと第１フレームユニット２１の小大引２１ｂと第２フレームユニット３１の小大引３１ｂ、第２フレームユニット３１の小大引３１ｂと第３フレームユニット４１の小大引４１ｂと第２フレームユニット３１の小大引３１ｂと第３フレームユニット４１の小大引４１ｂ、および第２フレームユニット３１の小大引３１ｂと第３フレームユニット４１の小大引４１ｂと第２フレームユニット３１の小大引３１ｂと第３フレームユニット４１の小大引４１ｂが４つ載置される。
【００８１】
図８に示すように、第１フレームユニット２１の大大引２１ａおよび第３フレームユニット４１の大大引４１ａは、脚部材１１（より詳しくは嵌合片１１ｃ）に対し、ビス１１ｘで固定される。一方、第１フレームユニット２１の小大引２１ｂと第２フレームユニット３１の小大引３１ｂ、および、第２フレームユニット３１の小大引３１ｂと第３フレームユニット４１の小大引４１ｂは、脚部材１１（より詳しくは嵌合片１１ｃ）に対し、嵌合片１１ｃ（受け部１２）を貫通するボルト・ナット１１ｙで固定される。これにより、脚部材１１の上端部にフレームユニット２１，３１，４１が取り付けられる。
【００８２】
＜床板形成工程＞
次に、図７に示すように、支持体２を形成する各フレームユニット２１，３１，４１に床板ユニット５１を配置する。具体的に、各フレームユニット２１，３１，４１の略正方形状の区画領域Ｒを同じく略正方形状の床板部材５２で被覆して埋めるように支持体２の上に床板ユニット５１を敷設する。これにより、複数の床板ユニット５１が相互に隣接して配置され、支持体２上に床板３が形成される。
【００８３】
本実施形態では、１８個の床板ユニット５１が３列×６段に並べられる。その場合、各フレームユニット２１，３１，４１に２つの床板ユニット５１が段方向に並んで収容される。床板３は、３列×６段に並べられた１８個の床板ユニット５１の床板部材５２の集合体である。このようなフレームユニット２１，３１，４１に床板ユニット５１が配置されたユニットの組が９組３列×３段に相互に隣接して配置されることにより、支持体２および床板３が形成され、デッキ構造１が完成する。
【００８４】
上記フレームユニット２１，３１，４１に上記床板ユニット５１が配置された状態において、床板ユニット５１の台部材５３がフレームユニット２１，３１，４１の中に嵌合し、フレームユニット２１，３１，４１の段部２１ｘ，３１ｘ，４１ｘの上面に載置される。特に、本実施形態では、台部材５３は所定長さＬ３を有する長尺部材であり、床板ユニット５１は、床板部材５２の縦の長さＬ１方向がフレームユニット２１，３１，４１の列方向、横の長さＬ２方向が段方向に沿うように配置される。そのため、台部材５３は、相互に対向する一対の第１フレーム部材２１Ａ，２１Ｂ；３１Ｂ，３１Ｂ；４１Ａ，４１Ｂの段部２１ｘ，３１ｘ，４１ｘ間に架け渡されて上記段部２１ｘ，３１ｘ，４１ｘの上面に載置される。これにより、床板ユニット５１の床板部材５２が縦方向および横方向に連続的に並べられる。
【００８５】
その際、台部材５３の高さＨが、小根太２１ｃ，３１ｃ，４１ｃ、大根太２１ｄ，３１ｄ，４１ｄ、および中間根太２１ｅ，３１ｅ，４１ｅの高さと同じ場合は、台部材５３よりも床板ユニット５１の外方にオーバーハングする床板部材５２の周縁部の裏面がフレームユニット２１，３１，４１の上面に当接する（各フレームユニット２１，３１，４１の上面については「［１−１］部材の説明」ですでに述べた通りである）。
【００８６】
一方、図８に示すように、台部材５３の高さＨが、小根太２１ｃ，３１ｃ，４１ｃ、大根太２１ｄ，３１ｄ，４１ｄ、および中間根太２１ｅ，３１ｅ，４１ｅの高さよりも高い場合は、上記床板部材５２の周縁部の裏面がフレームユニット２１，３１，４１の上面に当接しない。
【００８７】
つまり、床板ユニット５１は、少なくとも常に台部材５３を介して第１フレーム部材２１Ａ，２１Ｂ；３１Ｂ，３１Ｂ；４１Ａ，４１Ｂの上記段部２１ｘ，３１ｘ，４１ｘの上面で支持される。台部材５３は、床板ユニット５１を第１フレーム部材２１Ａ，２１Ｂ；３１Ｂ，３１Ｂ；４１Ａ，４１Ｂの段部２１ｘ，３１ｘ，４１ｘの上面で支持する際の土台として機能する。
【００８８】
理解の容易のために、図９に、図７の状態を一部透視の平面図として示した。図９において、上から下に向かって順に第１列、第２列…、左から右に向かって順に第１段、第２段…である。第１段のフレームユニット２１，３１，４１は、配置された床板ユニット５１の床板部材５２を透視して描いてある。第３段のフレームユニット２１，３１，４１は、配置された床板ユニット５１全体を透視して描いてある。
【００８９】
第１段のフレームユニット２１，３１，４１から明らかなように、フレームユニット２１，３１，４１に床板ユニット５１が配置された状態において、床板ユニット５１の台部材５３はフレームユニット２１，３１，４１の中に隙間なく、すなわちガタツキなく、しっくりと嵌合している。これは、「［１−１］部材の説明」ですでに述べた通り、台部材５３の長さＬ３が、一対の大根太２１ｄ，３１ｄ，４１ｄ間の間隔と同じか若干短い長さに設定されているからである。また、一対の台部材５３の外側の側面間の長さＬ４が、小根太２１ｃ，３１ｃ，４１ｃと中間根太２１ｅ，３１ｅ，４１ｅとの間の間隔と同じか若干短い長さに設定されているからである。そのため、フレームユニット２１，３１，４１の小根太２１ｃ，３１ｃ，４１ｃ、大根太２１ｄ，３１ｄ，４１ｄ、および中間根太２１ｅ，３１ｅ，４１ｅと、床板ユニット５１の台部材５３とは、協働して、床板ユニット５１を支持体２に敷設するときの横ブレ（列方向および段方向のブレ）を防止する案内部材としても機能する。
【００９０】
完成したデッキ構造１には、最終的に、図７および図８に示すように、支持体２および床板３の周縁部を隠す幕板（化粧板）６１が組み付けられる。幕板６１は、例えば、フレームユニット２１，３１，４１や脚部材１１の適宜の縦面にビスで固定される。
【００９１】
なお、建物側（第１列側）は幕板６１が不要なので組み付けられない。また、図８は、建物の屋内のフロアリングＦからドアサッシＷを開けて屋外へ出るところにデッキ構造１を施工した場合を示している。その際、施工地盤が傾斜しているので、デッキ構造１の水平を保つため、第１列の脚部材１１＜第２列の脚部材１１＜第３列の脚部材１１＜第４列の脚部材１１の順に高さが高く調節されている。
【００９２】
［１−３］デッキ構造
以上のような施工法で施工されたデッキ構造１（図７〜図９参照）は、次のような構成を有する。
【００９３】
すなわち、デッキ構造１は、格子状の支持体２の上に床板３が敷設された構造である。
【００９４】
デッキ構造１は、施工地盤Ｇ（図１参照）上に縦方向および横方向に並置された１６個の脚部材１１と、上記脚部材１１に取り付けられた９個の第１〜第３フレームユニット２１，３１，４１と、上記９個の第１〜第３フレームユニット２１，３１，４１にそれぞれ２つずつ配置された１８個の床板ユニット５１とを有している。
【００９５】
上記９個の第１〜第３フレームユニット２１，３１，４１は、相互に平行に延びる一対の第１フレーム部材２１Ａ，２１Ｂ；３１Ｂ，３１Ｂ；４１Ａ，４１Ｂと、上記第１フレーム部材２１Ａ，２１Ｂ；３１Ｂ，３１Ｂ；４１Ａ，４１Ｂと直交し、上記第１フレーム部材２１Ａ，２１Ｂ；３１Ｂ，３１Ｂ；４１Ａ，４１Ｂ同士を連結する一対の第２フレーム部材２１Ｃ，２１Ｃ；３１Ｃ，３１Ｃ；４１Ｃ，４１Ｃとを含んでいる。上記９個の第１〜第３フレームユニット２１，３１，４１は、上記１６個の脚部材１１の上端部に、上記縦方向に延びるように配置された上記第１フレーム部材２１Ａ，２１Ｂ；３１Ｂ，３１Ｂ；４１Ａ，４１Ｂが載置され固定されることにより、上記脚部材１１に取り付けられている。
【００９６】
上記１８個の床板ユニット５１は、上記第１フレーム部材２１Ａ，２１Ｂ；３１Ｂ，３１Ｂ；４１Ａ，４１Ｂと上記第２フレーム部材２１Ｃ，２１Ｃ；３１Ｃ，３１Ｃ；４１Ｃ，４１Ｃとで囲まれた領域の少なくとも一部を覆う平板状の床板部材５２を含んでいる。上記１８個の床板ユニット５１は、１８個の上記床板部材５２が上記縦方向および上記横方向に連続的に並んで床板３を形成するように、上記９個の第１〜第３フレームユニット２１，３１，４１にそれぞれ２つずつ配置されている。
【００９７】
上記横方向の中間の第１フレーム部材２１Ｂ，３１Ｂ，４１Ｂの上記横方向の幅（より詳しくは小大引２１ｂ，３１ｂ，４１ｂの上記横方向の幅）は、上記横方向の両端の第１フレーム部材２１Ａ，４１Ａの上記横方向の幅（より詳しくは大大引２１ａ，４１ａの上記横方向の幅）の半分である。
【００９８】
全部で１８本の第１フレーム部材２１Ａ，２１Ｂ；３１Ｂ，３１Ｂ；４１Ａ，４１Ｂのうち、上記横方向の両端の第１フレーム部材２１Ａ，４１Ａ（計６本）が上記横方向の両端の脚部材１１の上端部に載置されている。
【００９９】
一方、全部で１８本の第１フレーム部材２１Ａ，２１Ｂ；３１Ｂ，３１Ｂ；４１Ａ，４１Ｂのうち、上記横方向に相互に隣接する２つの第１フレーム部材２１Ｂ，３１Ｂ；３１Ｂ，４１Ｂ（計１２本）が上記横方向の中間の脚部材１１の上端部に上記横方向に並べて載置されている。
【０１００】
［１−４］作用
以上のように、本実施形態に係るデッキ構造１の施工法は、格子状の支持体２の上に床板３が敷設されたデッキ構造１（図７〜図９）の施工法であって、フレームユニット準備工程、脚部材準備工程、床板ユニット準備工程、脚部材並置工程、フレーム取付工程、および床板形成工程を含む。
【０１０１】
フレームユニット準備工程は、相互に平行に延びる一対の第１フレーム部材２１Ａ，２１Ｂ；３１Ｂ，３１Ｂ；４１Ａ，４１Ｂと、上記第１フレーム部材２１Ａ，２１Ｂ；３１Ｂ，３１Ｂ；４１Ａ，４１Ｂと直交し、上記第１フレーム部材２１Ａ，２１Ｂ；３１Ｂ，３１Ｂ；４１Ａ，４１Ｂ同士を連結する一対の第２フレーム部材２１Ｃ，２１Ｃ；３１Ｃ，３１Ｃ；４１Ｃ，４１Ｃとを含むフレームユニット２１，３１，４１を複数準備する工程である。
【０１０２】
脚部材準備工程は、上記第１フレーム部材２１Ａ，２１Ｂ；３１Ｂ，３１Ｂ；４１Ａ，４１Ｂを上端部で支持する脚部材１１を複数準備する工程である。
【０１０３】
床板ユニット準備工程は、上記第１フレーム部材２１Ａ，２１Ｂ；３１Ｂ，３１Ｂ；４１Ａ，４１Ｂと上記第２フレーム部材２１Ｃ，２１Ｃ；３１Ｃ，３１Ｃ；４１Ｃ，４１Ｃとで囲まれた領域の少なくとも一部を覆う平板状の床板部材５２を含む床板ユニット５１を複数準備する工程である。
【０１０４】
脚部材並置工程は、上記脚部材準備工程で準備した複数の脚部材１１を施工地盤Ｇ上に縦方向および横方向に並置する工程である。
【０１０５】
フレーム取付工程は、上記脚部材並置工程で並置した複数の脚部材１１の上端部に、上記縦方向に延びるように配置された上記第１フレーム部材２１Ａ，２１Ｂ；３１Ｂ，３１Ｂ；４１Ａ，４１Ｂを載置し固定することにより、上記脚部材１１に上記フレームユニット２１，３１，４１を取り付ける工程である。
【０１０６】
床板形成工程は、上記フレーム取付工程で取り付けた複数のフレームユニット２１，３１，４１にそれぞれ上記床板ユニット準備工程で準備した床板ユニット５１を１つ以上配置することにより、複数の床板ユニット５１の床板部材５２を上記縦方向および上記横方向に連続的に並べて床板３を形成する工程である。
【０１０７】
そして、上記フレームユニット準備工程では、上記横方向の中間の第１フレーム部材２１Ｂ（小大引２１ｂ），３１Ｂ（小大引３１ｂ），４１Ｂ（小大引４１ｂ）の上記横方向の幅が、上記横方向の両端の第１フレーム部材２１Ａ（大大引２１ａ），４１Ａ（大大引４１ａ）の上記横方向の幅の半分であるフレームユニット２１，３１，４１を準備する。
【０１０８】
また、上記フレーム取付工程では、上記横方向の両端の脚部材１１の上端部に上記横方向の両端の第１フレーム部材２１Ａ（大大引２１ａ），４１Ａ（大大引４１ａ）を載置する一方、上記横方向の中間の脚部材１１の上端部には上記横方向に相互に隣接する２つの第１フレーム部材２１Ｂ（小大引２１ｂ），３１Ｂ（小大引３１ｂ）；３１Ｂ（小大引３１ｂ），４１Ｂ（小大引４１ｂ）を上記横方向に並べて載置する。
【０１０９】
本実施形態によれば、複数の脚部材１１を施工地盤Ｇ上に並置し、並置した複数の脚部材１１にフレームユニット２１，３１，４１を取り付け、取り付けた複数のフレームユニット２１，３１，４１にそれぞれ床板ユニット５１を配置することにより、デッキ構造１が施工される。
【０１１０】
その上で、本実施形態によれば、上記横方向の中間の第１フレーム部材２１Ｂ（小大引２１ｂ），３１Ｂ（小大引３１ｂ），４１Ｂ（小大引４１ｂ）の上記横方向の幅が、上記横方向の両端の第１フレーム部材２１Ａ（大大引２１ａ），４１Ａ（大大引４１ａ）の上記横方向の幅の半分とされ、上記横方向の両端の脚部材１１の上端部に上記横方向の両端の第１フレーム部材２１Ａ（大大引２１ａ），４１Ａ（大大引４１ａ）が載置される一方、上記横方向の中間の脚部材１１の上端部には上記横方向に相互に隣接する２つの第１フレーム部材２１Ｂ（小大引２１ｂ），３１Ｂ（小大引３１ｂ）；３１Ｂ（小大引３１ｂ），４１Ｂ（小大引４１ｂ）が上記横方向に並べて載置されるので、上記横方向の中間の脚部材１１に２つ載置される上記横方向の中間の第１フレーム部材２１Ｂ（小大引２１ｂ），３１Ｂ（小大引３１ｂ）；３１Ｂ（小大引３１ｂ），４１Ｂ（小大引４１ｂ）は、２つが上記横方向に並んだ状態で、上記横方向の両端の脚部材１１に１つ載置される上記横方向の両端の第１フレーム部材２１Ａ（大大引２１ａ），４１Ａ（大大引４１ａ）と幅が同じになる。そのため、どの位置の第１フレーム部材２１Ａ，２１Ｂ，３１Ｂ，４１Ａ，４１Ｂを支持するかに拘らず、これらの第１フレーム部材２１Ａ，２１Ｂ，３１Ｂ，４１Ａ，４１Ｂを上端部で支持する脚部材１１を共通化することができ、部品点数およびコストの削減が図られる。
【０１１１】
以上により、本実施形態によれば、施工現場で構成部材を加工することなくデッキ構造１を施工でき、かつ部品点数が抑制されたデッキ構造１の施工法が提供される。
【０１１２】
しかも、脚部材１１に２つ載置される第１フレーム部材２１Ｂ（小大引２１ｂ），３１Ｂ（小大引３１ｂ）；３１Ｂ（小大引３１ｂ），４１Ｂ（小大引４１ｂ）の幅が脚部材１１に１つ載置される第１フレーム部材２１Ａ（大大引２１ａ），４１Ａ（大大引４１ａ）の幅の半分とされることにより、第１フレーム部材２１Ａ，２１Ｂ，３１Ｂ，４１Ａ，４１Ｂの容積減が図られ、デッキ構造１の重量増およびコスト増が抑制される。
【０１１３】
本実施形態においては、上記フレーム取付工程では、上記縦方向の中間部でかつ上記横方向の端部に位置する脚部材１１の上端部に、上記縦方向に相互に隣接する２つの第１フレーム部材２１Ａ（大大引２１ａ），２１Ａ（大大引２１ａ）；４１Ａ（大大引４１ａ），４１Ａ（大大引４１ａ）の端部を上記縦方向に突き合わせて載置する。
【０１１４】
この構成によれば、上記縦方向に相互に隣接する第１フレーム部材２１Ａ（大大引２１ａ），２１Ａ（大大引２１ａ）；４１Ａ（大大引４１ａ），４１Ａ（大大引４１ａ）間で脚部材１１を共有させることにより、部品点数およびコストのより一層の削減が図られる。
【０１１５】
本発明においては、上記フレーム取付工程では、上記縦方向および上記横方向の双方の中間部に位置する脚部材１１の上端部に、上記縦方向に相互に隣接する２つの第１フレーム部材２１Ｂ（小大引２１ｂ），２１Ｂ（小大引２１ｂ）；３１Ｂ（小大引３１ｂ）；３１Ｂ（小大引３１ｂ）；４１Ｂ（小大引４１ｂ），４１Ｂ（小大引４１ｂ）の端部と、これと上記横方向に隣接する別の２つの第１フレーム部材２１Ｂ（小大引２１ｂ），２１Ｂ（小大引２１ｂ）；３１Ｂ（小大引３１ｂ）；３１Ｂ（小大引３１ｂ）；４１Ｂ（小大引４１ｂ），４１Ｂ（小大引４１ｂ）の端部とを合わせた合計４つの第１フレーム部材の端部を載置する。
【０１１６】
この構成によれば、上記縦方向に相互に隣接する第１フレーム部材２１Ｂ（小大引２１ｂ），２１Ｂ（小大引２１ｂ）；３１Ｂ（小大引３１ｂ）；３１Ｂ（小大引３１ｂ）；４１Ｂ（小大引４１ｂ），４１Ｂ（小大引４１ｂ）間で脚部材１１を共有させることに加えて、上記横方向に相互に隣接する第１フレーム部材２１Ｂ（小大引２１ｂ），３１Ｂ（小大引３１ｂ）；３１Ｂ（小大引３１ｂ），４１Ｂ（小大引４１ｂ）間でも脚部材１１を共有させることにより、部品点数およびコストのなお一層の削減が図られる。
【０１１７】
本実施形態においては、上記脚部材準備工程では、上記第１フレーム部材２１Ａ，２１Ｂ，３１Ｂ，４１Ａ，４１Ｂを受入可能なように上面が開放されたコ字状の受け部１２を上端部に有する脚部材１１を準備し、上記フレーム取付工程では、上記受け部１２に第１フレーム部材２１Ａ（大大引２１ａ），２１Ｂ（小大引２１ｂ），３１Ｂ（小大引３１ｂ），４１Ａ（大大引４１ａ），４１Ｂ（小大引４１ｂ）を挿入する。
【０１１８】
この構成によれば、コ字状の受け部１２を脚部材１１の上端部に設けたから、この脚部材１１の受け部１２に第１フレーム部材２１Ａ（大大引２１ａ），２１Ｂ（小大引２１ｂ），３１Ｂ（小大引３１ｂ），４１Ａ（大大引４１ａ），４１Ｂ（小大引４１ｂ）を挿入するだけで第１フレーム部材２１Ａ，２１Ｂ，３１Ｂ，４１Ａ，４１Ｂと脚部材１１とを簡単に連結でき、デッキ構造１の施工が容易化する。
【０１１９】
本実施形態においては、上記フレームユニット準備工程では、上記一対の第２フレーム部材２１Ｃ，２１Ｃ；３１Ｃ，３１Ｃ；４１Ｃ，４１Ｃの間に、上記第１フレーム部材２１Ａ，２１Ｂ，３１Ｂ，４１Ａ，４１Ｂと直交し、上記第１フレーム部材２１Ａ，２１Ｂ；３１Ｂ，３１Ｂ；４１Ａ，４１Ｂ同士を連結する第３フレーム部材２１ｅ，３１ｅ，４１ｅが少なくとも１つ設けられたフレームユニット２１，３１，４１を準備し、上記床板形成工程では、上記第１、第２、第３フレーム部材２１Ａ，２１Ｂ，３１Ｂ，４１Ａ，４１Ｂ；２１Ｃ，３１Ｃ，４１Ｃ；２１ｅ，３１ｅ，４１ｅにより区画された複数の区画領域Ｒ…Ｒにそれぞれ１つずつ床板ユニット５１…５１を配置する。
【０１２０】
この構成によれば、フレームユニット２１，３１，４１に複数の区画領域Ｒ…Ｒが上記縦方向に並んで形成され、各区画領域Ｒに１つずつ床板ユニット５１が配置されるから、複数の床板部材５２…５２が確実に上記縦方向に連続的に並べられる。
【０１２１】
本実施形態においては、上記床板ユニット準備工程では、上記床板部材５２の裏面に所定高さＨの台部材５３が設けられた床板ユニット５１を準備し、上記フレームユニット準備工程では、上記台部材５３を載置可能な段部２１ｘ，３１ｘ，４１ｘが形成されたフレームユニット２１，３１，４１を準備し、上記床板形成工程では、上記台部材５３を上記段部２１ｘ，３１ｘ，４１ｘに載置する。
【０１２２】
この構成によれば、床板ユニット５１が台部材５３を土台とし段部２１ｘ，３１ｘ，４１ｘを介してフレームユニット２１，３１，４１に安定して支持される。
【０１２３】
本実施形態においては、上記床板ユニット準備工程では、上記台部材５３は所定長さＬ３の長尺部材である床板ユニット５１を準備し、上記床板形成工程では、上記台部材５３を複数の段部２１ｘ，２１ｘ；３１ｘ，３１ｘ；４１ｘ，４１ｘ間に架け渡して上記段部２１ｘ，３１ｘ，４１ｘに載置する。
【０１２４】
この構成によれば、台部材５３は床板ユニット５１をフレームユニット２１，３１，４１に支持するための土台として機能することに加えて、床板部材５２を上方からの荷重に対して裏面から補強する補強部材としても機能する。
【０１２５】
また、本実施形態に係るデッキ構造１は、格子状の支持体２の上に床板３が敷設されたデッキ構造１（図７〜図９）であって、施工地盤Ｇ上に縦方向および横方向に並置された複数の脚部材１１、相互に平行に延びる一対の第１フレーム部材２１Ａ，２１Ｂ；３１Ｂ，３１Ｂ；４１Ａ，４１Ｂと、上記第１フレーム部材２１Ａ，２１Ｂ；３１Ｂ，３１Ｂ；４１Ａ，４１Ｂと直交し、上記第１フレーム部材２１Ａ，２１Ｂ；３１Ｂ，３１Ｂ；４１Ａ，４１Ｂ同士を連結する一対の第２フレーム部材２１Ｃ，２１Ｃ；３１Ｃ，３１Ｃ；４１Ｃ，４１Ｃとを含み、上記複数の脚部材１１の上端部に、上記縦方向に延びるように配置された上記第１フレーム部材２１Ａ，２１Ｂ；３１Ｂ，３１Ｂ；４１Ａ，４１Ｂが載置され固定されることにより、上記脚部材１１に取り付けられた複数のフレームユニット２１，３１，４１、および、上記第１フレーム部材２１Ａ，２１Ｂ；３１Ｂ，３１Ｂ；４１Ａ，４１Ｂと上記第２フレーム部材２１Ｃ，２１Ｃ；３１Ｃ，３１Ｃ；４１Ｃ，４１Ｃとで囲まれた領域の少なくとも一部を覆う平板状の床板部材５２を含み、複数の上記床板部材５２が上記縦方向および上記横方向に連続的に並んで床板３を形成するように、上記複数のフレームユニット２１，３１，４１にそれぞれ１つ以上配置された複数の床板ユニット５１を有している。
【０１２６】
上記横方向の中間の第１フレーム部材２１Ｂ（小大引２１ｂ），３１Ｂ（小大引３１ｂ），４１Ｂ（小大引４１ｂ）の上記横方向の幅は、上記横方向の両端の第１フレーム部材２１Ａ（大大引２１ａ），４１Ａ（大大引４１ａ）の上記横方向の幅の半分である。
【０１２７】
上記横方向の両端の脚部材１１の上端部に上記横方向の両端の第１フレーム部材２１Ａ（大大引２１ａ），４１Ａ（大大引４１ａ）が載置されている。
【０１２８】
一方、上記横方向の中間の脚部材１１の上端部には上記横方向に相互に隣接する２つの第１フレーム部材２１Ｂ（小大引２１ｂ），３１Ｂ（小大引３１ｂ）；３１Ｂ（小大引３１ｂ），４１Ｂ（小大引４１ｂ）が上記横方向に並べて載置されている。
【０１２９】
本実施形態によれば、デッキ構造１の施工法に係る実施形態と同様、施工現場で構成部材を加工することなく施工でき、かつ部品点数が抑制されたデッキ構造１が提供される。しかも、第１フレーム部材２１Ａ，２１Ｂ，３１Ｂ，４１Ａ，４１Ｂの容積減が図られ、デッキ構造１の重量増およびコスト増が抑制される。
【０１３０】
［１−５］変形例
床板形成工程において、台部材５３を段部２１ｘ，３１ｘ，４１ｘの上面に載置する際、必ずしも、台部材５３を段部２１ｘ，３１ｘ，４１ｘ間に架け渡す必要はない。つまり、床板ユニット５１を、床板部材５２の縦の長さＬ１方向がフレームユニット２１，３１，４１の段方向、横の長さＬ２方向が列方向に沿うように、フレームユニット２１，３１，４１に配置することもできる。この場合、一対の台部材５３は、それぞれ、段部２１ｘ，３１ｘ，４１ｘに沿って延び、その全長に亘って段部２１ｘ，３１ｘ，４１ｘと当接する。
【０１３１】
台部材５３は、必ずしも、長尺部材である必要はない。つまり、台部材５３は、例えば、フレームユニット２１，３１，４１に床板ユニット５１が配置された状態において、小根太２１ｃ，３１ｃ，４１ｃと、大根太２１ｄ，３１ｄ，４１ｄと、中間根太２１ｅ，３１ｅ，４１ｅとで形成される４つのコーナーに同時に位置する４つの柱状部材などとすることもできる。この場合、４つの台部材５３は、床板ユニット５１の配置の向きに拘らず、それぞれ、段部２１ｘ，３１ｘ，４１ｘの上面に載置される。
【０１３２】
中間根太２１ｅ，３１ｅ，４１ｅは必ずしも必要ではない。つまり、中間根太２１ｅ，３１ｅ，４１ｅを省いて、各フレームユニット２１，３１，４１の区画領域を平面視で長方形状とすることもできる。この場合、床板ユニット５１の床板部材５２の形状を同じく平面視で長方形状に形成すればよい。
【０１３３】
（第２の実施形態）
高さの相違するデッキ構造１を複数組み合せて全体として階段状にすることもできる。その場合のデッキ構造１を第２の実施形態として図１０に例示する。第１の実施形態と同じまたは類似の構成要素には同じ符号を用い、第１の実施形態と異なる部分のみ説明する。
【０１３４】
この第２の実施形態に係るデッキ構造１の特徴はおよそ次のようである。
【０１３５】
・  建物Ｈ側から順に高さの高いデッキ構造１Ａ，１Ｂ，１Ｃが並べられている。高さの調節は脚部材の選択で行っている。つまり、高さが最も高いデッキ構造１Ａでは、高さが最も高い脚部材１１Ａが用いられ、次に高さが高いデッキ構造１Ｂでは、次に高さが高い脚部材１１Ｂが用いられ、高さが最も低いデッキ構造１Ｃでは、高さが最も低い脚部材１１Ｃが用いられている。
【０１３６】
・  高さが最も高いデッキ構造１Ａはフレームユニットが２列構造である。フレームユニットとしては、図２の第１フレームユニット２１と図４の第３フレームユニット４１とが用いられている。
【０１３７】
・  他のデッキ構造１Ｂ，１Ｃはフレームユニットが１列構造である。フレームユニットとしては、相互に平行に配置された一対の大引の双方が幅の広い大引であるフレームユニット８１が用いられている。
【０１３８】
・  ３つのデッキ構造１Ａ，１Ｂ，１Ｃを連結するため、連結板７１，７２が用いられている。連結板７１，７２は、相互に隣接するデッキ構造１Ａ，１Ｂ，１Ｃ間に亘って延び、脚部材１１Ａ，１１Ｂ，１１Ｃにビス止めされている。
【０１３９】
（第３の実施形態）
図１１〜図１５を参照して、第３の実施形態を説明する。この第３の実施形態の特徴は、第１の実施形態では脚部材１１が受け部１２を有していたのに対し、第１フレーム部材１２１Ａ，１２１Ｂ，１３１Ｂ，１４１Ａ，１４１Ｂが受け部１１２または受け部形成部１２１ｆ，１３１ｆ，１４１ｆを有している点である。なるべく第１の実施形態と同じ符号を用い、第１の実施形態と同じ説明を避けながら、第１の実施形態と異なる部分のみ説明する。
【０１４０】
［３−１］部材の説明
図１１は脚部材１１１、図１２〜図１４は第１〜第３フレームユニット１２１，１３１，１４１を示している。
【０１４１】
＜脚部材＞
図１１に示すように、脚部材１１１は、施工地盤Ｇ（図１参照）と接する基部１１１ａと、上下方向に延びる四角柱状の支持部１１１ｂとを有する。支持部１１１ｂは、基部１１１ａに対して螺合しており、回転することにより高さ調節が可能に構成されている。支持部１１１ｂは、金属製の長尺部材であり、断面形状がロ字状の平断面構造を持った剛性部材である。脚部材１１１は、支持部１１１ｂの上端部で第１フレーム部材１２１Ａ，１２１Ｂ，１３１Ｂ，１４１Ａ，１４１Ｂ（図１２〜図１４参照）を支持する。
【０１４２】
＜第１フレームユニット＞
図１２に示すように、第１フレームユニット１２１は、相互に平行に延びる一対の第１フレーム部材１２１Ａ，１２１Ｂと、上記第１フレーム部材１２１Ａ，１２１Ｂと直交し、上記第１フレーム部材１２１Ａ，１２１Ｂ同士を連結する一対の第２フレーム部材１２１Ｃ，１２１Ｃとを含んでいる。
【０１４３】
第１フレーム部材１２１Ａ，１２１Ｂは、例えば押出成形で作製される金属製の長尺部材であり、平断面構造を持った剛性部材である。一対の第１フレーム部材１２１Ａ，１２１Ｂのうち、一方の第１フレーム部材１２１Ａは、断面形状がロ字状の大引部１２１ａ、大引部１２１ａの上面に立設された根太部１２１ｄ、および大引部１２１ａの下面に垂設された相互に対向する一対の嵌合片１２１ｆを有する。大引部１２１ａの下面と上記一対の嵌合片１２１ｆとで、下面が開放されたコ字状の受け部１１２が形成されている。大引部１２１ａの上面のうち根太部１２１ｄよりも内方側の部分は段部１２１ｘを形成し、この段部１２１ｘに床板ユニット５１の台部材５３が載置される。大引部１２１ａないし受け部１１２の幅（より詳しくは図１における横方向の幅）は、上記脚部材１１１の支持部１１１ｂの上端部の幅と同じか若干長い長さに設定されている。
【０１４４】
他方の第１フレーム部材１２１Ｂは、断面形状がロ字状の大引部１２１ｂ、大引部１２１ｂの上面に立設された根太部１２１ｄ、および大引部１２１ｂの下面に垂設された単一の嵌合片１２１ｆを有する。この嵌合片１２１ｆは、上記横方向に相互に隣接する第１フレームユニット１２１の第１フレーム部材１２１Ｂと第２フレームユニット１３１の第１フレーム部材１３１Ｂ（図１３参照）とを上記横方向に並べたときに第２フレームユニット１３１の嵌合片１３１ｆ（図１３参照）と協働して上記受け部１１２を形成する受け部形成部である。大引部１２１ｂの上面のうち根太部１２１ｄよりも内方側の部分は床板ユニット５１の台部材５３が載置される段部１２１ｘを形成する。大引部１２１ｂの幅は、上記大引部１２１ａの幅の略半分である。
【０１４５】
第２フレーム部材１２１Ｃは、金属製の長尺部材であり、断面形状がＬ字状の剛性部材である。第３フレーム部材（中間根太）１２１ｅは、金属製の長尺部材であり、断面形状がコ字状の剛性部材である。
【０１４６】
＜第２フレームユニット＞
図１３に示すように、第２フレームユニット１３１は、相互に平行に延びる一対の第１フレーム部材１３１Ｂ，１３１Ｂと、上記第１フレーム部材１３１Ｂ，１３１Ｂと直交し、上記第１フレーム部材１３１Ｂ，１３１Ｂ同士を連結する一対の第２フレーム部材１３１Ｃ，１３１Ｃとを含んでいる。
【０１４７】
第１フレーム部材１３１Ｂの大引部１３１ｂ、根太部１３１ｄ、嵌合片１３１ｆ、および段部１３１ｘは、第１フレームユニット１２１の他方の第１フレーム部材１２１Ｂの大引部１２１ｂ、根太部１２１ｄ、嵌合片１２１ｆ、および段部１２１ｘと構成が同じである。
【０１４８】
第２フレーム部材１３１Ｃ、および第３フレーム部材（中間根太）１３１ｅは、第１フレームユニット１２１の第２フレーム部材１２１Ｃ、および第３フレーム部材（中間根太）１２１ｅと構成が同じである。
【０１４９】
ただし、一対の第１フレーム部材１３１Ｂ，１３１Ｂのうち、第１フレームユニット１２１の他方の第１フレーム部材１２１Ｂと上記横方向に隣接する方の第１フレーム部材１３１Ｂは、上記他方の第１フレーム部材１２１Ｂと上記横方向において鏡像関係に配置されている。また、一対の第１フレーム部材１３１Ｂ，１３１Ｂ同士が上記横方向において鏡像関係に配置されている。
【０１５０】
＜第３フレームユニット＞
図１４に示すように、第３フレームユニット１４１は、相互に平行に延びる一対の第１フレーム部材１４１Ａ，１４１Ｂと、上記第１フレーム部材１４１Ａ，１４１Ｂと直交し、上記第１フレーム部材１４１Ａ，１４１Ｂ同士を連結する一対の第２フレーム部材１４１Ｃ，１４１Ｃとを含んでいる。
【０１５１】
一対の第１フレーム部材１４１Ａ，１４１Ｂのうち、一方の第１フレーム部材１４１Ａの大引部１４１ａ、根太部１４１ｄ、嵌合片１４１ｆ、受け部１１２、および段部１４１ｘは、第１フレームユニット１２１の一方の第１フレーム部材１２１Ａの大引部１２１ａ、根太部１２１ｄ、嵌合片１２１ｆ、受け部１１２、および段部１２１ｘと構成が同じであり、他方の第１フレーム部材１４１Ｂの大引部１４１ｂ、根太部１４１ｄ、嵌合片１４１ｆ、および段部１４１ｘは、第１フレームユニット１２１の他方の第１フレーム部材１２１Ｂの大引部１２１ｂ、根太部１２１ｄ、嵌合片１２１ｆ、および段部１２１ｘと構成が同じである。
【０１５２】
第２フレーム部材１４１Ｃ、および第３フレーム部材（中間根太）１４１ｅは、第１フレームユニット１２１の第２フレーム部材１２１Ｃ、および第３フレーム部材（中間根太）１２１ｅと構成が同じである。
【０１５３】
ただし、第３フレームユニット１４１全体が第１フレームユニット１２１全体と上記横方向において鏡像関係に配置されている。
【０１５４】
＜床板ユニット＞
床板ユニット５１は第１の実施形態と構成が同じであるから説明を省略する。
【０１５５】
［３−２］デッキ構造の施工法
デッキ構造１の施工法のうち、＜脚部材準備工程＞、＜フレームユニット準備工程＞、＜床板ユニット準備工程＞、＜脚部材並置工程＞、および＜床板形成工程＞は第１の実施形態と構成が同じであるから説明を省略し、＜フレーム取付工程＞のみ説明する。
【０１５６】
＜フレーム取付工程＞
図１５に示すように、脚部材１１１の上に第１〜第３フレームユニット１２１，１３１，１４１を載置する。
【０１５７】
具体的に、各フレームユニット１２１，１３１，１４１の第１フレーム部材１２１Ａ，１２１Ｂ，１３１Ｂ，１４１Ａ，１４１Ｂを縦方向に延びるように配置し、第１フレーム部材１２１Ａ，１２１Ｂ，１３１Ｂ，１４１Ａ，１４１Ｂの下部に設けられた受け部１１２、および、受け部形成部１２１ｆ，１３１ｆ，１４１ｆから形成された受け部１１２に、脚部材１１１の支持部１１１ｂの上端部を挿入する。
【０１５８】
すなわち、上記横方向に相互に隣接する第１フレームユニット１２１の第１フレーム部材１２１Ｂと第２フレームユニット１３１の第１フレーム部材１３１Ｂとを上記横方向に並べたとき、および、上記横方向に相互に隣接する第２フレームユニット１３１の第１フレーム部材１３１Ｂと第３フレームユニット１４１の第１フレーム部材１４１Ｂとを上記横方向に並べたときに、第１フレームユニット１２１の嵌合片１２１ｆと第２フレームユニット１３１の嵌合片１３１ｆとが協働して上記受け部１１２を形成し、第２フレームユニット１３１の嵌合片１３１ｆと第３フレームユニット１４１の嵌合片１４１ｆとが協働して上記受け部１１２を形成するから、もともと単独で設けられている受け部１１２、つまり、第１フレームユニット１２１の第１フレーム部材１２１Ａの下部に設けられている受け部１１２、および第３フレームユニット１４１の第１フレーム部材１４１Ａの下部に設けられている受け部１１２だけでなく、この受け部形成部１２１ｆ，１３１ｆ，１４１ｆから形成された受け部１１２にも、脚部材１１１の支持部１１１ｂの上端部を挿入するのである。
【０１５９】
各フレームユニット１２１，１３１，１４１の嵌合片１２１ｆ，１３１ｆ，１４１ｆがビスやボルト・ナットで脚部材１１１に固定されることにより、脚部材１１１の上端部にフレームユニット１２１，１３１，１４１が取り付けられ、これにより、複数のフレームユニット１２１，１３１，１４１が相互に隣接して配置された格子状の支持体１０２が形成される。
【０１６０】
［３−３］作用
以上のように、この第３の実施形態においては、上記フレームユニット準備工程では、上記脚部材１１１の上端部を受入可能なように下面が開放されたコ字状の受け部１１２、および、上記横方向に相互に隣接する２つの第１フレーム部材１２１Ｂ，１３１Ｂ；１３１Ｂ，１４１Ｂを上記横方向に並べたときに協働して上記受け部１１２を形成する受け部形成部１２１ｆ，１３１ｆ，１４１ｆの少なくともいずれか一方を第１フレーム部材１２１Ａ，１２１Ｂ，１３１Ｂ，１４１Ａ，１４１Ｂの下部に有するフレームユニット１２１，１３１，１４１を準備する。
【０１６１】
上記フレーム取付工程では、上記受け部１１２、および、上記受け部形成部１２１ｆ，１３１ｆ，１４１ｆから形成された受け部１１２の少なくともいずれか一方に脚部材１１１の上端部を挿入する。
【０１６２】
この構成によれば、コ字状の受け部１１２を第１フレーム部材１２１Ａ，１２１Ｂ，１３１Ｂ，１４１Ａ，１４１Ｂの下部に設けたから、この第１フレーム部材１２１Ａ，１２１Ｂ，１３１Ｂ，１４１Ａ，１４１Ｂの受け部１１２に脚部材１１１の上端部を挿入するだけで第１フレーム部材１２１Ａ，１２１Ｂ，１３１Ｂ，１４１Ａ，１４１Ｂと脚部材１１１とを簡単に連結でき、デッキ構造１の施工が容易化する。
【符号の説明】
【０１６３】
１      デッキ構造
２      支持体
３      床板
１１    脚部材
１１ｃ  嵌合片
１２    受け部
２１    第１フレームユニット
２１Ａ，２１Ｂ  第１フレーム部材
２１Ｃ  第２フレーム部材
２１ａ  大大引
２１ｂ  小大引
２１ｃ  小根太
２１ｄ  大根太
２１ｅ  中間根太（第３フレーム部材）
２１ｘ  段部
３１    第２フレームユニット
３１Ｂ  第１フレーム部材
３１Ｃ  第２フレーム部材
３１ｂ  小大引
３１ｃ  小根太
３１ｄ  大根太
３１ｅ  中間根太（第３フレーム部材）
３１ｘ  段部
４１    第３フレームユニット
４１Ａ，４１Ｂ  第１フレーム部材
４１Ｃ  第２フレーム部材
４１ａ  大大引
４１ｂ  小大引
４１ｃ  小根太
４１ｄ  大根太
４１ｅ  中間根太（第３フレーム部材）
４１ｘ  段部
５１    床板ユニット
５２    床板部材
５３    台部材
１１２  受け部
１２１ｆ，１３１ｆ，１４１ｆ  嵌合片（受け部形成部）
Ｇ      施工地盤
Ｒ      区画領域
【図１】
0005968838.tif 000002
【図２】
0005968838.tif 000003
【図３】
0005968838.tif 000004
【図４】
0005968838.tif 000005
【図５】
0005968838.tif 000006
【図６】
0005968838.tif 000007
【図７】
0005968838.tif 000008
【図８】
0005968838.tif 000009
【図９】
0005968838.tif 000010
【図１０】
0005968838.tif 000011
【図１１】
0005968838.tif 000012
【図１２】
0005968838.tif 000013
【図１３】
0005968838.tif 000014
【図１４】
0005968838.tif 000015
【図１５】
0005968838.tif 000016